(57)【要約】      （修正有）【課題】Ｆ＃キーのアームの耐久性ならびにＧ♯キーおよび小貝Ｂ♭キーの音の安定性を向上させたサクソフォンを提供する。【解決手段】Ｆシャープキーのアーム１０１と、Ｇシャープキー１０４と、Ｂフラットのレバー１０５と、を備え、Ｆシャープキーのアーム１０１には、Ｇシャープキー１０４に当接して押圧するための第１押圧手段と、Ｂフラットのレバー１０５に当接して押圧するための第２押圧手段と、第１押圧手段および第２押圧手段の相対的な方向を調整する当接角度調整手段と、が設けられる。【選択図】図１Ａ
2015166783.tif 000002
【特許請求の範囲】
【請求項１】
Ｆシャープキーのアームと、
Ｇシャープキーと、
Ｂフラットのレバーと、
を備えたサクソフォンであって、
前記Ｆシャープキーのアームには、
前記Ｇシャープキーに当接して押圧するための第１押圧手段と、
前記Ｂフラットのレバーに当接して押圧するための第２押圧手段と、
前記第１押圧手段に対する前記第２押圧手段の相対的な方向を調整する当接角度調整手段と、
が設けられたことを特徴とするサクソフォン。
【請求項２】
前記Ｆシャープキーのアームは、
前記第１押圧手段を含む第１アーム部と、
前記第２押圧手段を含む第２アーム部と、
を備え、
前記第１アーム部および前記第２アーム部の一方は円筒部を有し、他方は前記円筒の中空部分に挿入できる円柱部を有し、
前記当接角度調整手段は、前記円筒部に前記円柱部が挿入された状態で前記第１アーム部に対して前記第２アーム部を固定および固定解除する手段を含むことを特徴とする請求項１に記載のサクソフォン。
【請求項３】
前記Ｆシャープキーのアームは、
前記Ｆシャープキーに連結する第３アーム部をさらに備え、
前記第１アーム部および前記第３アーム部の一方は円筒部を有し、他方は前記円筒の中空部分に挿入できる円柱部を有し、
前記当接角度調整手段は、前記円筒部に前記円柱部が挿入された状態で前記第１アーム部に対して前記第３アーム部を固定および固定解除する手段をさらに含むことを特徴とする請求項２に記載のサクソフォン。
【請求項４】
請求項１乃至３のいずれか１項に記載のサクソフォンに設けられるＦシャープキーのアーム。
【発明の詳細な説明】
【技術分野】
【０００１】
本発明は、サクソフォンおよびその部品に関する。
【背景技術】
【０００２】
上記技術分野において、特許文献１には、サクソフォンの外観図が示されている。特許文献１において、Ｆキーに連動して、Ｆキーの上側に隣接するＦシャープキー（以降Ｆ♯キー）のアームが動く仕組みになっている。
【先行技術文献】
【特許文献】
【０００３】
【特許文献１】中国実用新案公告２０１２６２８２３号公報
【発明の概要】
【発明が解決しようとする課題】
【０００４】
分かりやすいように、図６に全体図と部分拡大図とを示し、さらに、図７にＦ＃キーのアーム６０１のみの拡大図を示す。サクソフォン６００の中程に位置するＦ＃キー６０２には、アーム６０１が固定されており、Ｆキー６０３を押さえると、連動して、Ｆ＃キー６０２およびアーム６０１が下方に移動して、アーム６０１の軸方向の先端および根本に取り付けられたコルク６１１、６１２が、Ｇシャープキー（Ｇ＃キー）６０４およびＢ♭のレバー６０５を押さえつける。つまり、Ｆキー６０３を押さえる力によって、Ｇ♯レバー（不図示）を押しても連動するＧ♯キー６０４が開かず、また、小貝Ｂ♭のキー６０６を押すこともできないようなっている。アーム６０１は、図７の平面図に示すように、ボルト７０１、７０２を締め付けることで、コルク６１１、６１２の先端部の突出具合を調整できる構成となっている。
【０００５】
しかしながら、上記構成では、Ｆ＃キーのアーム６０１とＧ＃キー６０４または小貝Ｂフラット（以降Ｂ♭）キーのレバー６０５との当たりが適正ではなく、接点が小さい場合があった。その場合、アーム６０１に取り付けられたコルク６１１、６１２が極端に摩耗したり、偏って摩耗したりする場合があった。そのように、Ｇ♯キー６０４に対する当たりが十分でなくなってしまうと、Ｆキー６０３を押さえているに関わらず、Ｇ♯キー６０４が浮いてしまい、空気が漏れて、音が弱くなったり、音が出なくなったりすることがあった。特に、Ｇ♯キー６０４およびＢ♭のレバー６０５に対してコルク６１１、６１２が当接する角度が、それぞれ同じとは限らないため、コルク６１１、６１２の突出具合をどのように調整しても、Ｇ♯キー６０４およびＢ♭のレバー６０５との当たりが十分にならない場合があった。
【０００６】
すなわち、従来の構成では、Ｆ＃キーのアームの耐久性ならびにＧ＃およびＢ♭の音の安定性が十分とは言えなかった。
【０００７】
本発明の目的は、上述の課題を解決する技術を提供することにある。
【課題を解決するための手段】
【０００８】
上記目的を達成するため、本発明にかかるサクソフォンにあっては、
Ｆシャープキーのアームと、
Ｇシャープキーと、
Ｂフラットのレバーと、
を備えたサクソフォンであって、
前記Ｆシャープキーのアームには、
前記Ｇシャープキーに当接して押圧するための第１押圧手段と、
前記Ｂフラットのレバーに当接して押圧するための第２押圧手段と、
前記第１押圧手段に対する前記第２押圧手段の相対的な方向を調整する当接角度調整手段と、
が設けられたことを特徴とする。
【０００９】
前記Ｆシャープキーのアームは、
前記第１押圧手段を含む第１アーム部と、
前記第２押圧手段を含む第２アーム部と、
を備え、
前記第１アーム部分および前記第２アーム部分の一方は円筒部を有し、他方は前記円筒の中空部分に挿入できる円柱部を有し、
前記当接角度調整手段は、前記円筒部に前記円柱部が挿入された状態で前記第１アーム部に対して前記第２アーム部を固定および固定解除する手段を含むことも好適である。
【００１０】
前記Ｆシャープキーのアームは、
前記Ｆシャープキーに連結する第３アーム部をさらに備え、
前記第１アーム部および前記第３アーム部の一方は円筒部を有し、他方は前記円筒の中空部分に挿入できる円柱部を有し、
前記当接角度調整手段は、前記円筒部に前記円柱部が挿入された状態で前記第１アーム部に対して前記第３アーム部を固定および固定解除する手段をさらに含むことも好適である。
【００１１】
上記目的を達成するため、本発明にかかるサクソフォンの部品にあっては、上記サクソフォンに設けられるＦシャープキーのアームであることを特徴とする。
【発明の効果】
【００１２】
本発明によれば、Ｆ＃キーのアームの耐久性ならびにＧ♯キーおよび小貝Ｂ♭キーの音の安定性を向上させることができる。
【図面の簡単な説明】
【００１３】
【図１Ａ】本発明の第１実施形態に係るサクソフォンの全体構成を示す図である。
【図１Ｂ】本発明の第１実施形態に係るサクソフォンの部分拡大図である。
【図２】本発明の第１実施形態に係るサクソフォンの部分拡大図である。
【図３】本発明の第１実施形態に係るサクソフォンの部分拡大図である。
【図４Ａ】本発明の第１実施形態に係るサクソフォンのアームの拡大図である。
【図４Ｂ】本発明の第１実施形態に係るサクソフォンのアームの拡大図である。
【図４Ｃ】本発明の第１実施形態に係るサクソフォンのアームの拡大図である。
【図５】本発明の第２実施形態に係るサクソフォンのアームの拡大図である。
【図６】従来のサクソフォンにおけるＦ＃キーのアームの周辺構成を示す図である。
【図７】従来のサクソフォンにおけるＦ＃キーのアームの拡大図である。
【発明を実施するための形態】
【００１４】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１５】
［第１実施形態］
（サクソフォン全体構成）
本発明の第１実施形態としてのサクソフォン１００の外観を図１に示している。
【００１６】
分かりやすいように、図１Ａには、全体図を示し、図１Ｂに、Ｆ＃キー１０２のアーム１０１を中心とする部分拡大図（ａ）〜（ｄ）を示している。また、図２、図３は、サクソフォン１００を操作中の斜視図である。
【００１７】
サクソフォン１００の中程に位置するＦ＃キー１０２には、その上面の上側端部付近にアーム１０１の一旦が固定されている。Ｆ＃キー１０２は、不図示のレバーを介してＦキー１０３に接続され、レバーに設けられたバネによって、開放方向に付勢されている。
【００１８】
したがって、どのキーも押さえていない状態では、Ｆ＃キー１０２は、図中上方（演奏時には前方）に向かって開放されている。Ｆキー１０３を押下することにより、連動してＦ♯キー１０２が図中下方に移動して、対応個所の穴を塞ぐことになる。
【００１９】
このとき、Ｆ♯キー１０２に固定されたアーム１０１は、同時に下方に移動し、アーム１０１の根本および上側先端に取り付けられた押圧手段としてのコルク１１１、１２１が、Ｇシャープキー（以降Ｇ♯キー）１０４およびレバー１０５に当接し、これらにこすりつけられながら、これらを図中上方から押さえる（図１Ｂ（ｂ）および図３の状態）。このコルク１１１、１２１は耐久性向上のため、樹脂でコーティングされていることが好ましいがこれに限定されるものではない。アーム１０１には、コルク１１１の突出量を調整するためのボルト１１２と、コルク１２１の突出量を調整するためのボルト１２２が設けられている。ボルト１１２とコルク１１１とは接続されており、アーム１０１の根本側に設けられたナットにボルト１１２を螺合することにより、コルク１１１が交換可能かつ突出量調整可能にアーム１０１に固定されている。同様に、ボルト１２２とコルク１２１も接続されており、アーム１０１の先端側に設けられたナットにボルト１２２を螺合することにより、コルク１２１が交換可能かつ突出量調整可能にアーム１０１に固定されている。
【００２０】
Ｆキー１０３を押さえる力によって、Ｇ♯レバー１０８を押しても連動するＧ♯キー１０４が開かず、また、小貝Ｂ♭のキー１０６を押すこともできないようになっている。
【００２１】
一方、Ｅキー１０７を押した場合にも、Ｆキー１０３は動かずに、Ｆ＃キー１０２が下方に移動するため、これと連動して、アーム１０１のコルク１１１、１２１が、Ｇ♯キー１０４およびレバー１０５を図中上方から押さえる（（ｂ）の状態）。（ｂ）の状態では、レバー１０５に連動するＢ♭のキーも押下されて対応個所の穴を塞ぐ。
【００２２】
一方、Ｆキー１０３を押下せずに、小貝Ｂ♭のキー１０６を押下すると、小貝Ｂ♭のキー１０６が対応個所の穴を塞ぎ、レバー１０５が、アーム１０１のコルク１２１から離れて、下方に移動する（（ｄ）の状態）。
【００２３】
小貝Ｂ♭のキー１０６に隣接するＨ（ラ）のキーを押した場合にも小貝Ｂ♭のキー１０６が押下され、小貝Ｂ♭のキー１０６が対応個所の穴を塞ぎ、レバー１０５が、アーム１０１から離れて、下方に移動する（（ｄ）の状態）。
【００２４】
Ｈ（ラ）のキーも、小貝Ｂ♭のキー１０６も、Ｆキー１０３も、Ｅキー１０７も押さなければ、Ｆ＃キー１０２は開き、Ｇ♯キー１０４は閉じ、図１Ｂ（ａ）および図２の状態になる。
【００２５】
Ｇ♯レバー１０８を押すとＧ♯１０４が開くが、レバー１０５は、アーム１０１のコルク１２１に当接したままで、Ｆ♯キー１０２も開放したままとなる（（ｃ）の状態）。
【００２６】
（アーム構成）
図４Ａ〜図４Ｃには、Ｆ＃キーのアーム１０１のみの拡大図を示している。図４Ａ（ａ）は、アーム１０１の正面図であり、図２、３とは逆の方向からアーム１０１を見た図である。図４Ａ（ｂ）は、アーム１０１の先端側の側面図である。図４Ｂは、アーム１０１を、コルク１２１側から見た斜視図であり、図４Ｃは、アーム１０１を、コルク１１１側から見た斜視図である。
【００２７】
アーム１０１は、大きく分けて、第１アーム部４０１と第２アーム部４０２とを含む。第１アーム部４０１は、一端に連結部４１５を備え、連結部４１５によってＦ＃キー１０２と連結している。連結部４１５は、ボルト４５１と、凸部４５２を備えている（凸部４５２の形状は図４Ｃ参照）。Ｆ＃キー１０２に設けられたスリット状の穴に凸部４５２を挿入し、ボルト４５１を締め付けることで、アーム１０１は、Ｆ＃キー１０２に固定される。
【００２８】
上述したようにアーム１０１においてボルト１１２、１２２を締め付けることで、コルク１１１、１２１の先端部の突出具合を調整できる構成となっている。
【００２９】
第１アーム部４０１は、円筒部４１１を有し、第２アーム部４０２はその円筒部４１１の中空部分に挿入できる円柱部４２１を有している。当接角度調整手段としてのボルト４１３は、第１アーム部４０１の円筒部４１１に設けられたナット４１２に挿入される。
【００３０】
ボルト４１３を締め付けることによって、円筒部４１１の内径が小さくなる。そして、円筒部４１１が円柱部４２１を締め付けることにより、第１アーム部４０１に対して第２アーム部４０２が固定される。なお、図４Ａでは、第１アーム部４０１に円筒部４１１を設け、第２アーム部４０２に円柱部４２１を設けた構成について開示しているが本発明はこれに限定されるものではない。第１アーム部４０１に円柱部が、第２アーム部に円筒部とナットとボルトが設けられてもよい。
【００３１】
ボルト４１３をゆるめることで、図４Ａ（ｂ）の矢印方向にコルク１１１とコルク１２１の相対的な向きを変えることができる構成となっている。コルク１１１とコルク１２１の相対的な向きが決まれば、ボルト４１３を締め付け、コルク１１１、１２１の向きを固定する。円筒部４１１に円柱部４２１が挿入された状態で固定したり、固定解除したりすることができる。
【００３２】
すなわち、Ｆ＃キーのアーム１０１とＧ＃キー１０４またはＢ♭のレバー１０５との接点の大きさを調整できることになる。つまり、アーム１０１に取り付けられたコルク１１１、１２１の摩耗を抑制し、かつ摩耗の均等化を実現する。そして結果的に、Ｇ＃キー１０４およびＢ♭のレバー１０５に対する当たりを適正な力および位置および角度にすることができ、安定して、適正な音を出すことが可能となる。特に、Ｇ♯キー１０４およびＢ♭のレバー１０５がコルク１１１、１２１に当接する角度をそれぞれ適正にできるため、コルク１１１、１２１の突出具合を合わせて調整すれば、Ｇ♯キー１０４およびＢ♭のレバー１０５との当たりを十分安定的に確保維持することができる。
【００３３】
［第２実施形態］
次に、本発明の第２実施形態としてのサクソフォンについて、図５を用いて説明する。
【００３４】
図５（ａ）〜（ｄ）には、Ｆ＃キーのアーム５００のみの拡大図を示している。図５（ａ）は、アーム５００の正面図であり、図５（ｂ）は、アーム５００を、コルク５３２側から見た斜視図であり、図５（ｃ）は、アーム５００を、コルク５２２側から見た斜視図である。
【００３５】
本実施形態にかかるアーム５００は、大きく分けて、第１アーム部５０１と第２アーム部５０２と第３アーム部５０３とを含む。第１アーム部５０１は、一端にボルト５５１と、凸部５５２を備えている（凸部５５２の形状は図５（ｃ）参照）。Ｆ＃キー１０２に設けられたスリット状の穴に凸部５５２を挿入し、ボルト５５１を締め付けることで、アーム５００は、Ｆ＃キー１０２に固定される。
【００３６】
第１アーム部５０１は、ボルト５１４とナット５１５を備えている。このボルト５１４は、Ｆ＃キー１０２との連結部である凸部５５２と、コルク５２２との相対角度を調整するためのものである。
【００３７】
第１アーム部５０１は、円筒部５１１を有し、第２アーム部５０２はその円筒部５１１の中空部分に挿入できる円柱部５２０を有している。当接角度調整手段としてのボルト５１４は、第１アーム部５０１の円筒部５１１に設けられたナット５１５に挿入される。
【００３８】
ボルト５１４を締め付けることによって、円筒部５１１の内径が小さくなる。そして、円筒部５１１が円柱部５２０を締め付けることにより、第１アーム部５０１に対して第２アーム部５０２が固定される。
【００３９】
ボルト５１４をゆるめることで、図５（ｃ）の矢印５２６方向に第１アーム部５０１と、コルク５２２との相対角度を調整することができる。第１アーム部５０１と、コルク５２２との相対的な向きが決まれば、ボルト５１４を締め付け、コルク５２２の向きを固定する。
【００４０】
円筒部５１１に円柱部５２０が挿入された状態で固定したり、固定解除したりすることができる。
【００４１】
つまり、本実施形態のアーム５００では、Ｆ＃キー１０２に対してどのようにアーム５００を連結しても、その連結角度とは独立して、コルク５２２の向きを調整することができる。
【００４２】
アーム５００においてボルト５２１、５３１を締め付けることで、コルク５２２、５３２の先端部の突出具合を調整できる構成となっている。
【００４３】
また第２アーム部５０２は、円筒部５２４を有し、第３アーム部５０３はその円筒部５２４の中空部分に挿入できる円柱部５３３を有している。当接角度調整手段としてのボルト５２３は、第２アーム部５０２の円筒部５２４に設けられたナット５２５に挿入される。
【００４４】
ボルト５２３を締め付けることによって、円筒部５２４の内径が小さくなる。そして、円筒部５２４が円柱部５３３を締め付けることにより、第２アーム部５０２に対して第３アーム部５０３が固定される。なお、図５では、第２アーム部５０２に円筒部５２４を設け、第３アーム部５０３に円柱部５３３を設けた構成について開示しているが本発明はこれに限定されるものではない。第２アーム部５０２に円柱部が、第３アーム部に円筒部とナットとボルトが設けられてもよい。
【００４５】
ボルト５２３をゆるめることで、図５（ｃ）の矢印方向５３６にコルク５２２とコルク５３２の相対的な向きを変えることができる。コルク５２２とコルク５３２の相対的な向きが決まれば、ボルト５２３を締め付け、コルク５２２とコルク５３２の向きを固定する。ボルト５２３を締め付けたりゆるめたりすることで、円筒部５２４に円柱部５３３が挿入された状態で互いを固定したり、固定解除したりすることができる。
【００４６】
以上の構成により、Ｆ＃キーのアーム１０１とＧ＃キー１０４またはＢ♭のレバー１０５との接点の大きさを調整できることになる。つまり、アーム５００に取り付けられたコルク５２２、５３２の摩耗を抑制し、かつ摩耗の均等化を実現する。そして結果的に、Ｇ＃キー１０４およびＢ♭のレバー１０５に対する当たりを適正な力および位置および角度にすることができ、安定して、適正な音を出すことが可能となる。特に、Ｇ♯キー１０４およびＢ♭のレバー１０５がコルク５２２、５３２に当接する角度をそれぞれ適正にできるため、コルク５２２、５３２の突出具合を合わせて調整すれば、Ｇ♯キー１０４およびＢ♭のレバー１０５との当たりを十分確保維持することができる。
【００４７】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【図１Ａ】
2015166783.tif 000003
【図１Ｂ】
2015166783.tif 000004
【図２】
2015166783.tif 000005
【図３】
2015166783.tif 000006
【図４Ａ】
2015166783.tif 000007
【図４Ｂ】
2015166783.tif 000008
【図４Ｃ】
2015166783.tif 000009
【図５】
2015166783.tif 000010
【図６】
2015166783.tif 000011
【図７】
2015166783.tif 000012